(57)【要約】【課題】複数のラインセンサを千鳥状に配列して大判原稿の画像を読み取る画像読取装置において、画像読取部の副走査方向の前後部分に、駆動ローラと原稿５をこれに圧接させて挟持する従動ローラを設けるとともに、画像読取部上を搬送される原稿をコンタクトガラスに密着させる原稿押圧部材を設けて構成され、装置の副走査方向に原稿搬送機構を設けるスペースが必要となり、これにより装置を小型化することが困難となるとともに、部品点数が多くなることにより、作成コストが増大し、装置が高価なものとなってしまうといった不具合を解消するためになされたものである。【解決手段】本発明の画像読取装置においては、画像を読み取るべき原稿に作用してこれを副走査方向に搬送する原稿搬送手段を、千鳥状に配列されるイメージセンサと逆位相となる領域において、原稿に作用させてこれを搬送するよう構成した。【選択図】        図１
2006203840.tif 000002
【特許請求の範囲】
【請求項１】
千鳥状に複数個配列されるイメージセンサと、原稿に作用してこれを副走査方向に搬送する原稿搬送手段とを有し、各イメージセンサより得られる画像データより原稿全体の画像データを作成する画像読取装置において、
上記原稿搬送手段は、上記イメージセンサと逆位相となるよう千鳥状に配列される領域において原稿に作用するよう設けられることを特徴とする画像読取装置。
【請求項２】
請求項１記載の画像読取装置において、
上記原稿搬送手段は、原稿を介して互いに圧接するよう設けられる駆動ローラと従動ローラが、上記イメージセンサと逆位相の千鳥状に配列されるよう構成されることを特徴とする画像読取装置。
【請求項３】
上記原稿搬送手段は、イメージセンサと逆位相の千鳥状に配列される従動ローラと、原稿を介して上記従動ローラと互いに圧接するよう設けられる駆動ローラとにより構成されることを特徴とする請求項２記載の画像読取装置。
【請求項４】
請求項３記載の画像読取装置において、
原稿搬送手段の駆動ローラは、上記千鳥状に配列されるイメージセンサおよび従動ローラに対向するよう主走査方向に配設される２本のローラにより構成されることを特徴とする画像読取装置。
【請求項５】
請求項３記載の画像読取装置において、
原稿搬送手段の駆動ローラは、上記千鳥状に配列されるイメージセンサおよび従動ローラに対向する主走査方向に延びる２本の直線を回転軸とする複数のローラにより構成されることを特徴とする画像読取装置。
【請求項６】
上記原稿搬送手段の従動ローラと駆動ローラが原稿を介して圧接される際、駆動ローラと上記イメージセンサ間に所定の間隙が形成されることを特徴とする請求項３乃至５の何れかに記載の画像読取装置。
【請求項７】
上記原稿搬送手段の従動ローラと駆動ローラが原稿を介して圧接される際、駆動ローラが原稿をイメージセンサの方向へ押圧することを特徴とする請求項３乃至５のいずれかに記載の画像読取装置。
【請求項８】
上記原稿搬送手段は、イメージセンサと逆位相の千鳥状に配置される駆動ローラと、原稿を介して上記駆動ローラと互いに圧接するよう設けられる従動ローラとにより構成されることを特徴とする請求項２記載の画像読取装置。
【請求項９】
上記原稿搬送手段の従動ローラは、複数のローラ部材よりなることを特徴とする請求項２乃至８の何れかに記載の画像読取装置。
【請求項１０】
請求項１または２に記載の画像読取装置において、
上記原稿搬送手段により副走査方向に搬送される原稿に作用して、これを上記イメージセンサの方向へ押圧する押圧手段を有することを特徴とする画像読取装置。
【請求項１１】
上記原稿搬送手段の原稿搬送経路上流側の駆動ローラと従動ローラが原稿を介して圧接される際、下流側の駆動ローラと従動ローラに作用する上記押圧手段の押圧力に抗して圧接を解除する手段を設けたことを特徴とする請求項１０記載の画像読取装置。
【請求項１２】
上記押圧部材は、上記原稿搬送手段の駆動ローラまたは従動ローラの何れかであることを特徴とする請求項１０記載の画像読取装置。
【請求項１３】
請求項１または２に記載の画像読取装置において、
上記イメージセンサに対向するよう設けられ、上記原稿搬送手段により副走査方向に搬送される原稿をガイドする原稿ガイド部材を有することを特徴とする画像読取装置。
【請求項１４】
上記原稿ガイド部材は、上記原稿搬送手段の駆動ローラまたは従動ローラの何れかであることを特徴とする請求項１３記載の画像読取装置。
【発明の詳細な説明】
【技術分野】
【０００１】
本発明は画像読取装置に関するもので、さらに詳しくは、読取画素が列状に配列されるラインセンサを主走査方向に複数個千鳥状に配列し、これと直交する副走査方向に搬送される読み取るべき画像が形成された大判の原稿を、このラインセンサにより順次読み取る画像読取装置に関するものである。
【背景技術】
【０００２】
図１１は、この種の画像読取装置である原稿搬送型スキャナの構成を示す図であり、図において１はスキャナ本体、２は図の主走査方向に順次０，１，２，・・・・，Ｎ−１，Ｎと光電変換素子よりなる読み取り画素が列状に複数個配列される密着型イメージセンサ、３は原稿搬送部、４は原稿押圧部、５は原稿、７は制御部である。
スキャナ本体のフレームとなる基台１１は、主走査方向に延設される断面視コ字状の形状を有して形成され、Ａ０，Ａ１といった大判の原稿画像を読み取るために複数の密着型イメージセンサＳ１，Ｓ２，Ｓ３，・・・・が副走査方向に間隔ｌだけ離反するよう千鳥状に２列にこの基台１１に配置されている。また、基台１１上には、透明なガラス部材等よりなるコンタクトガラス１２が設けられている。これら基台１１，密着型センサ２，コンタクトガラス１２とで画像読取部が構成されている。
この画像読取部の副走査方向前後部分に、図示しない回転駆動機構により回転駆動力が伝達される駆動ローラ３１と、この駆動ローラ３１に圧接して原稿５を挟持する従動ローラであるピンチローラ３２により構成される原稿搬送部３が設けられている。
この画像読取装置により原稿画像の読み取りを行う場合、先ず原稿５を副走査方向上流側に設けられた駆動ローラ３１とピンチローラ３２の間に挿入してこれを挟持させ、駆動ローラ３１を図の矢印方向に回転駆動させて原稿５を副走査方向に搬送する。この原稿５の搬送と同期して、センサ２により原稿画像を順次読み取り、これを主走査方向１ライン毎のデータとしてラインバッファ７２に格納保持し、フレームメモリ７３がこのラインバッファ７２から読み出した１ライン毎のデータより、各センサの副走査方向方向の離反距離（ｌ）分シフトさせて合成することにより、原稿５全体の画像データを作成するよう構成されている。
作成された原稿５の画像データは、インターフェース回路７４を経由して、コンピュータ等の上位装置に送信される。
【０００３】
この画像読取装置に用いられる密着型イメージセンサ２においては、光源２１から照射された光線が原稿５より反射してレンズアレイ２２に入射し、ラインセンサ２３上で結像するよう設けられているので、良好な画像読取を行うためには、原稿５がコンタクトガラス１２に密着して搬送されることが必要不可欠となる。そこで、この種の原稿搬送型の画像読取装置においては、画像読取部上を搬送される原稿５をコンタクトガラス１２に押圧する原稿押圧部４を設け、これにより原稿５をコンタクトガラス１２の方向に付勢して密着させるよう構成されている。
この原稿押圧機構は、原稿５をコンタクトガラス１２に密着させるためにコンタクトガラス１２と同一平面を有した板状部材からなる押圧部材４０を、主走査，副走査方向に固定して原稿５の直上からこれを作用させ、その自重を押圧力とするよう構成されている。
【特許文献１】特開２００３−１２５１５９号公報
【発明の開示】
【発明が解決しようとする課題】
【０００４】
複数のラインセンサを千鳥状に配列して大判原稿の画像を読み取る画像読取装置においては、上述の通り画像読取部の副走査方向の前後部分に、駆動ローラ３１と原稿５をこれに圧接させて挟持する従動ローラであるピンチローラ３２を設けるとともに、画像読取部上を搬送される原稿５をコンタクトガラス１２に密着させる原稿押圧部材４を設けて構成されているので、装置の副走査方向に原稿搬送機構を設けるスペースが必要となり、これにより装置を小型化することが困難となるとともに、部品点数が多くなることにより、作成コストが増大し、装置が高価なものとなってしまうといった不具合が生じていた。
本発明はこれら不具合を解消するためになされたものである。
【課題を解決するための手段】
【０００５】
本発明の画像読取装置においては、画像を読み取るべき原稿に作用してこれを副走査方向に搬送する原稿搬送手段を、千鳥状に配列されるイメージセンサと逆位相となる領域において、原稿に作用させてこれを搬送するよう構成した。
【発明の効果】
【０００６】
本発明の画像読取装置によれば、装置を小型化することが可能となるとともに、部品点数を削減して安価に作成することが可能となる。
【発明を実施するための最良の形態】
【０００７】
画像を読み取るべき原稿を介して互いに圧接される駆動ローラおよび従動ローラからなる原稿搬送手段を、千鳥状に配列されるイメージセンサに対して逆位相となる領域に千鳥状に配設して構成した。
【実施例１】
【０００８】
以下図面に基づいて、本発明の画像読取装置を説明する。
図１および図２は本発明の画像読取装置を示す図であり、上述の従来の装置と同等の構成については同一の符号が付与されている。
図において６は画像読取装置本体１に対して回動可能に取り付けられて開閉するよう設けられるトップカバー部材であり、本実施例の画像読取装置においては、このトップカバー部材６に密着型イメージセンサ２が設けられている。このように構成することにより、原稿５の画像を読み取る際に、操作者がこの原稿５の読み取るべき画像が形成される側を確認することができるという効果を奏するものであるが、上述の従来例のように密着型イメージセンサ２は画像読取装置本体１の側に設けられてもよい。
図１に示されるとおり、本発明の画像読取装置においても、上述の従来の装置と同様に、複数の密着型イメージセンサ２が副走査方向に間隔ｌだけ離反して千鳥状に２列に配列されており、大判原稿５に対して主走査方向全幅領域における画像読取が可能となるよう構成されている。
【０００９】
本発明の画像読取装置における最も特徴的な構成を有する原稿搬送手段８は、画像読取装置本体１に上記密着型イメージセンサ２に対応して主走査方向に延設するように、且つ互いに副走査方向に間隔ｌだけ離反して設けられる２本の駆動ローラ８１と、カバー部材６が閉じた状態でこの駆動ローラ８１に圧接するように、且つ密着型イメージセンサ２と逆位相となるように千鳥状に配列される複数の従動ローラ８２とにより構成されている。尚、ここでいう逆位相とは、複数の従動ローラ８２が千鳥配列される密着型イメージセンサ２に対して、主走査方向について同じ位置であり、且つ副走査方向について離反距離ｌをもって互いに対向する位置に設けられていることをいう。
原稿５の搬送（原稿読取動作)時においては、図２に示されるとおり、カバー部材６が閉じられると、原稿５は駆動ローラ８１と、弾性部材である圧縮バネの復元力によりこれに圧接される従動ローラ８２およびラインセンサ２のコンタクトガラスにより挟持される。この状態で２本の駆動ローラ８１が図示しない駆動モータならびにその回転駆動力伝達機構により、それぞれ同期して回転駆動され、これにより原稿５の副走査方向の搬送が行われる。
本実施例によれば、原稿５は千鳥状に配列される従動ローラ８２と、これに（原稿５を介して）圧接される駆動ローラ８１により挟持されて、駆動ローラ８１が回転することにより副走査方向へ搬送されるとともに、密着型イメージセンサ２においては、駆動ローラ８１が原稿５をコンタクトガラスに圧接して密着させるので、画像読み取りを良好に行うことが可能となる。
以上詳述したとおり、本願発明の画像読取装置においては、千鳥状に配列されるイメージセンサからなる画像読取部において、イメージセンサが設けられない領域に原稿搬送手段を構成することにより、この画像読取部の副走査方向前後側に従来設けなければならなかった搬送手段設置のためのスペースが不要となり、装置を小型化することができ、尚且つ当該領域で原稿５を密着型ラインセンサ２（コンタクトガラス）に密着させることができ、良好な画像読取を行うことができるとともに、部品点数を削減することも可能となる。また、従前は読取部全域に高価なコンタクトガラスを設けていたが、本実施例の場合、密着型センサ部分にのみコンタクトガラスを設ければよく、これにより装置を安価に構成することが可能となる。
【実施例２】
【００１０】
この第１実施例においては、従動ローラ８２とともにイメージセンサ２（コンタクトガラス）を駆動ローラ８１に押圧するよう構成し、これによりイメージセンサ２に対して原稿５の読み取るべき画像が形成された面を密着させることができ、画像読取を良好に行うことができるよう構成したが、例えば搬送される原稿が極端に薄い素材である場合等、イメージセンサ（コンタクトガラス）への圧接力が大きくなると、その摩擦力が負荷となって原稿の搬送ができなくなったり、最悪の場合原稿が破損するなどといった不具合を生じることとなる。
このような原稿を搬送するために、図３に示す本発明の第２実施例においては、原稿搬送手段８の駆動ローラ８１と従動ローラ８２が圧接された際に、イメージセンサ２（コンタクトガラス）と駆動ローラ８１との間に所定の間隙、すなわちギャップが形成されるようにこれを構成し、上記不具合を解消するよう設けられるものである。
図３に示す本発明の第２実施例においては、カバー部材６を閉じると、イメージセンサ２と逆位相となる千鳥状に配列される領域に設けられた従動ローラ８２が駆動ローラ８１に圧接するとともに、千鳥状に配列されるイメージセンサ２（コンタクトガラス）とこれに対向する駆動ローラ８１との間には、所定のギャップが形成される。すなわち、カバー部材６において、従動ローラ８２の取り付け位置がイメージセンサ２（コンタクトガラス）よりも駆動ローラ８１に近接した位置、図の垂直方向で高さが異なるように配置することにより、イメージセンサ２を駆動ローラ８１の間に所定のギャップが形成されるよう構成されている。
この第２実施例においては、例えばイメージセンサ２として使用するセンサの特性として、その焦点深度にある程度の幅があることを許容するものを採用することができ、本願発明は画像読取部において副走査方向に２箇所、すなわち２本の駆動ローラ８１上で千鳥状に配列された従動ローラ８２により原稿５を支持するので、概ね２次元平面でこれを圧接、支持することができるので、上記イメージセンサ２の焦点深度の許容範囲、すなわち図の所定の間隙（ギャップ）間に原稿５を確実に搬送させることができるとともに、良好な画像読み取りを行うことが可能となる。
さらに、この第２実施例の駆動ローラ８１は主走査方向に延設される円筒状のローラで構成されており、図３に示されるように原稿搬送時にはイメージセンサ２に対向する（ギャップが形成されている）領域においても回転駆動することとなるので、原稿５はこのギャップ部分においてその裏面（読み取るべき画像が形成された、センサ２と対向する面の裏側）のみに回転駆動力を伝達されることにより、これが原稿搬送のためのガイド部材として作用することとなり、原稿５の搬送を良好に行うことができるという効果を奏する。
【実施例３】
【００１１】
以上の第１ならびに第２実施例においては、駆動ローラ８１として主走査方向に延設される円筒状のローラ部材を用いて構成したが、図４に示すように、千鳥状に配列されるイメージセンサおよび駆動ローラに対向する主走査方向に延びる２本の直線を回転軸とした複数のローラ部材でこれを構成してもよい。
上記第１実施例のように、イメージセンサ２（コンタクトガラス）に原稿５を圧接して密着させる場合は、これら複数のローラ部材８１１，８１２を回転軸８１０に固定するよう設け、図示しない駆動モータならびにその回転駆動力伝達機構により回転軸８１０を回転させることにより、従動ローラ８２に圧接する駆動ローラ群８１１ならびにイメージセンサ２の配列領域に設けられる駆動ローラ群８１２を回転駆動し、これにより原稿５を従動ローラ８２と挟持するとともに、イメージセンサ２（コンタクトガラス）に密着（圧接）させることができる。
上記第２実施例のように、搬送される原稿５をイメージセンサ２（コンタクトガラス）に押圧しないよう構成する場合は、第２実施例と同様に、イメージセンサ２（コンタクトガラス）が駆動ローラ群８１１，８１２に圧接しないようこれを配設するようにし、且つこれら複数のローラ部材８１１，８１２を回転軸８１０に固定するよう設け、図示しない駆動モータならびにその回転駆動力伝達機構により回転軸８１０を回転させることにより、従動ローラ８２に圧接する駆動ローラ群８１１ならびにイメージセンサ２の配列領域に設けられる駆動ローラ群８１２を回転駆動して、従動ローラ８２に圧接する駆動ローラ群８１１においては原稿５を挟持してこれを搬送するとともに、イメージセンサ２の配設領域に設けられる駆動ローラ群８１２においては、イメージセンサ２との間に設けられるギャップ部分に搬送される原稿５の裏面部分のみに回転駆動力を伝達することにより、原稿搬送のためのガイド部材として作用するよう設けられる。
また、イメージセンサ２の配設領域に設けられる駆動ローラ群８１２を、回転軸８１０に対して回転可能に取り付ける、すなわちフリーローラとしてこれを取り付けることにより、原稿搬送のガイド機構として構成してもよい。この場合は、上述の第２実施例のように、センサ２間とギャップを形成するとともに、或いは第１実施例のように原稿５の裏面からイメージセンサ２（コンタクトガラス）に圧接して、原稿５の搬送に伴って従動するように形成してもよい。
または、第２実施例のようにイメージセンサ２（コンタクトガラス）間に所定のギャップを形成するために、イメージセンサ２の配設領域に設けられる駆動ローラ群８１２を、従動ローラ８２に圧接する駆動ローラ群８１１よりも小さい径で形成することにより構成することも可能である。
更に、イメージセンサ２の配設領域に設けられる駆動ローラ群８１２を省略して、この領域に板状の部材等をこの原稿５の搬送経路に所定のギャップをもって設けることにより、原稿搬送のためのガイド部材を構成してもよい。
【実施例４】
【００１２】
また、図５は駆動ローラ８１をイメージセンサと逆位相の千鳥状に配設される従動ローラ８２に対向する領域のみに設けたものであり、この駆動ローラ８１を上述の第２実施例に適用し、イメージセンサ２と対向する部分において、板状の部材等をこの原稿５の搬送経路に所定のギャップをもって設けることにより、原稿搬送のためのガイド部材を構成してもよい。
また、この複数の駆動ローラ８１にそれぞれ個別に回転駆動させる手段を設け、且つ図６に示すように、イメージセンサ２と対向する領域において、原稿５を圧接する手段８３を設けて、実施例１のように原稿５をコンタクトガラスに圧接して密着させて画像読み取りを良好に行う画像読取装置を構成してもよい。
【００１３】
上述の実施例においては、画像読取装置本体１側に駆動ローラ８１を設け、イメージセンサと逆位相となる千鳥状に配列される領域に、これに圧接させる従動ローラ８２を設けて構成したが、イメージセンサと逆位相となるよう千鳥状に配列される領域に駆動ローラを設け、画像読取装置１側に従動ローラを設けるよう構成してもよく、また互いに圧接するための付勢手段は、駆動ローラ側、従動ローラ側の何れか或いはその両方に設けられるよう構成してもよい。
【実施例５】
【００１４】
上述の実施例においては、従動ローラ８２に弾性部材である圧縮バネを作用させ、画像読取装置１側に設けた駆動ローラ８１に対して圧接させるよう構成したが、互いに圧接するための付勢手段は、駆動ローラ側に設けられるよう構成してもよい。
図７は、本発明の第５実施例を示す図であり、上述の実施例との相違点は、密着型イメージセンサ２と逆位相となるように千鳥状に配列される複数の従動ローラ８２が、トップカバー部材６に対して回転可能となるよう固定、支持されているとともに、画像読取装置本体１側に設けられる駆動ローラ８１が、イメージセンサ２および従動ローラ８２に圧接する方向へ移動可能となるよう支持されている点である。また、駆動ローラ８１は、これに当接して作用するプレッシャユニット８３により、常時イメージセンサ２および従動ローラ８２の方向へ付勢されるよう構成されている。
すなわち、図８に示されるとおり、主走査方向に延設するよう設けられた駆動ローラ８１の回転軸８１０両端部分が、スキャナ本体１に設けられた側板１３に形成された摺動溝１３１に挿入されて支持され、この摺動溝１３１に沿って駆動ローラ８１が図のＺ軸方向、すなわちイメージセンサ２および従動ローラ８２に向かう方向に移動可能となるよう設けられている。駆動ローラ８１に作用するプレッシャユニット８３は、スキャナ本体１に対して回動可能に取り付けられるアーム８３２と、このアーム８３２に回転可能に取り付けられるローラ８３１、アーム８３２に作用してローラ８３２を駆動ローラ８１に圧接させる圧縮バネ８３３とにより構成されており、圧縮バネ８３３の復元力により駆動ローラ８１がイメージセンサ２および従動ローラ８２の方向に常時付勢されるよう構成されている。図示しないモータおよび伝達機構よりなる回転駆動手段により駆動ローラ８１が回転駆動すると、これに圧接されているローラ８３１が従動するよう設けられており、プレッシャユニット８３は駆動ローラ８１の回転駆動に対して負荷となることがなく、駆動ローラ８１をイメージセンサ２および従動ローラ８２の方向に付勢するよう構成されている。
本実施例の原稿搬送部においては、原稿５の搬送経路上流側、下流側に設けられる２本の駆動ローラ８１に対して、イメージセンサ２および駆動ローラ８１の方向に付勢する手段をそれぞれ独立に設けることにより、例えばハンガーを有する大判の図面等といった、副走査方向についてその厚みが一定でない原稿であっても、イメージセンサ２と原稿５の画像読取面との相対距離を常に一定とする、すなわち密着型センサ２の焦点距離に原稿５の画像読取面を位置づけることが可能となり、これにより良好な画像読取を行うことができるという効果を奏するものである。
図７に示されるとおり、原稿５が画像読取部に挿入され、搬送方向（副走査方向）上流側の駆動ローラ８１および従動ローラ８２に当接されて、さらに駆動ローラ８１が図示しない駆動手段により回転駆動されると、原稿５は駆動ローラ８１と従動ローラ８２により挟持されるが（図７中図）、このとき、従動ローラ８２はカバー部材２に対して固定するよう支持されているので、駆動ローラ８１は、プレッシャユニット８３の圧縮バネ８３３の復元力に抗してアーム８３２を図の矢印方向に回動させ、回転駆動軸８１０が摺動溝１３１に摺動するように原稿５の厚み分だけ押し下げられる。
この状態で駆動ローラ８１を回転駆動させて、原稿５を副走査方向に搬送するとともに、（原稿５の搬送経路の）上流側に設けられたイメージセンサ２により原稿画像の読み取りを行う。
原稿５の搬送、イメージセンサ２による画像読取を順次行うと、原稿５の先端部分は副走査方向下流側の駆動ローラ８１および従動ローラ８２に当接し、更に搬送されることにより、プレッシャユニット８３の圧縮バネ８３３の復元力に抗して駆動ローラ８１を押し下げて、搬送経路下流側の駆動ローラ８１と従動ローラ８２に挟持される。（図７下図)
このとき、搬送経路上流側の駆動ローラ８１においては、原稿５の厚みに追従して（摺動溝１３１に沿って）従動ローラ８２およびイメージセンサ２の方向に摺動し、これにより原稿５の画像読取面とイメージセンサ２との距離が原稿の厚みの変化に応じることなく一定に保たれるよう構成されている。また、図７下図に示されるとおり、原稿搬送経路上流側および下流側に設けられる駆動ローラ８１はそれぞれ独立に摺動可能に、かつイメージセンサ２の方向に付勢されていることにより、原稿５の厚みが副走査方向について一定でない場合であっても、イメージセンサ２と原稿５の画像読取面との相対距離を常に一定とすることができるよう構成されている。
【実施例６】
【００１５】
図９および図１０は、上述の本願発明第５実施例装置に、原稿搬送方向上流側の駆動ローラ８１と従動ローラ８２に原稿５が挟持された際に、下流側の駆動ローラ８１が所定量押し下げられて従動ローラ８２との間に隙間が形成されるよう構成したものである。
この第６実施例においては、主走査方向両端側に原稿搬送方向上流側ならびに下流側のそれぞれの駆動ローラ８１の回転軸８１０に係合するリンク機構８４が設けられている。このリンク機構８４は、溝８４１，８４２が形成されるプレート８４０と、このプレート８４０をスキャナ本体１の側板１３に回動可能に支持する回転軸８４３、プレート８４０を常時付勢する引張バネ８４４とにより構成されている。
プレート８４０に形成される溝８４１は、図９および図１０に示されるとおり、原稿５の搬送経路上流側に設けられる駆動ローラ８１の回転軸８１０の下側に係合するよう形成され、これにより原稿５の挟持に伴って、これが押し下げられる際に追従してプレート８４０が押し下げられるよう形成されており、溝８４２は、同じく下流側の駆動ローラ８１の回転軸８１０の上側に係合するよう形成されている。引張バネ８４４は、回転軸８４３を軸としてプレート８４０を常時上方、すなわち（プレッシャユニット８３と同じく）原稿搬送経路上流側の駆動ローラ８１をイメージセンサ２ならびに従動ローラ８２に圧接する方向へ付勢するよう設けられている。（図９上図）
この第６実施例の画像読取装置において、原稿５が画像読取部に挿入されて上流側の駆動ローラ８１および従動ローラ８２に挟持される際、図９中図に示されるとおり、原稿５の厚みに応じて上流側の駆動ローラ８１が押し下げられると、その回転軸８１０に係合しているプレート８４０を引張バネ８４４の復元力に抗してこれを押し下げて、プレート８４０の溝８４２に係合している下流側の駆動ローラ８１（の回転軸８１０）も押し下げ、これにより下流側の駆動ローラ８１と従動ローラ８２の圧接を解除し、これらの間に隙間を形成する。（図９中図）
さらに原稿５が順次搬送されてその先端が下流側の駆動ローラ８１ならびに従動ローラ８２に到達すると、形成されている隙間に原稿５が挿入されて、下流側の駆動ローラ８１は原稿５の厚みに応じてプレート８４０の係合を脱して押し下げられる。
この本願の第６実施例のように構成することにより、下流側の駆動ローラ８１と従動ローラ８２の間に原稿５が挿入される時の衝撃を、それぞれが圧接されている場合に比べて緩和させることができるので、圧接されている下流側の駆動ローラ８１と従動ローラ８２に原稿が衝突し、更に原稿が搬送されることにより生じるジャム現象（原稿が複雑に折り重なる搬送不良状態）を防止することが可能となる。
【００１６】
上述の実施例においては、イメージセンサ２と逆位相となるよう千鳥状に配列される領域に設けた従動ローラ８２を、複数のローラ部材により構成したが、これを一本のローラーで構成してもよい。
【図面の簡単な説明】
【００１７】
【図１】本発明の画像読取装置の構成を示す斜視図である。
【図２】本発明の画像読取装置の構成を示す断面図である。
【図３】本発明の第２実施例を示す図である。
【図４】本発明の第３実施例を示す図である。
【図５】本発明の第４実施例を示す図である。
【図６】本発明の第４実施例を第１実施例に適用した図である。
【図７】本発明の第５実施例を示す図である。
【図８】本発明の第５実施例を示す図である。
【図９】本発明の第６実施例を示す図である。
【図１０】本発明の第６実施例を示す図である。
【図１１】従来の画像読取装置の構成を示す図である。
【符号の説明】
【００１８】
１      スキャナ本体
２      密着型イメージセンサ
３      原稿搬送部
４      原稿押圧部
５      原稿
６      トップカバー部
７      制御部
８      原稿搬送部
【図１】
2006203840.tif 000003
【図２】
2006203840.tif 000004
【図３】
2006203840.tif 000005
【図４】
2006203840.tif 000006
【図５】
2006203840.tif 000007
【図６】
2006203840.tif 000008
【図７】
2006203840.tif 000009
【図８】
2006203840.tif 000010
【図９】
2006203840.tif 000011
【図１０】
2006203840.tif 000012
【図１１】
2006203840.tif 000013